(57)【要約】【課題】例えば証紙台板等の部材を遊技盤から取り外し困難な状態に取り付ける作業の容易化を図ることが可能な遊技機を提供する。【解決手段】証紙台板７０は、爪形状部７１と、一対の爪形状部７２，７３と、ボス７４に形成された取り付け穴７５と、を後面に備える。大入賞口ブラケット９０は、証紙台板７０の取り付け穴７５と対応する取り付け穴９３を備える。遊技盤本体６０の取り付け部６４には、証紙台板７０の爪形状部７１を受け入れるための切欠き部８１と、証紙台板７０の一対の爪形状部７２，７３およびボス７４を受け入れるための切欠き部８２と、が形成されている。証紙台板７０は、爪形状部７１および一対の爪形状部７２，７３を遊技盤本体６０の切欠き部８１，８２に前面側から挿入され、かつ、大入賞口ブラケット９０の取り付け穴９３にねじ部材Ｓ２が挿入されて取り付けられる。【選択図】図１１
2014000234.tif 000002
【特許請求の範囲】
【請求項１】
遊技球による遊技を行うための遊技領域を有する遊技盤と、当該遊技盤を保持する遊技盤保持枠と、を備える遊技機であって、
前記遊技盤を構成する遊技盤本体にねじで取り付けられる取り付け部材と、
前記遊技盤本体に形成された穴部に挿入され当該遊技盤本体に対する位置決めを行う爪部を持ち、当該爪部により位置決めされた状態でねじを用いて前記取り付け部材にねじ締結され、シール部材が貼付される領域を有する板状部材と、
を備えることを特徴とする遊技機。
【請求項２】
前記板状部材は、前記取り付け部材と共に前記遊技盤本体に共通のねじを用いて共締めされることを特徴とする請求項１に記載の遊技機。
【請求項３】
前記板状部材の前記爪部は、互いに離間して形成される一対からなり、
前記板状部材が前記取り付け部材にねじ締結される位置は、前記一対の爪部の間であることを特徴とする請求項１または２に記載の遊技機。
【発明の詳細な説明】
【技術分野】
【０００１】
本発明は、遊技球の入賞によって大当たりの抽選を行う遊技機に関するものである。
【背景技術】
【０００２】
パチンコ遊技機等の遊技機では、遊技球が始動口等の役物に入賞することにより大当たりの抽選が行われる。そして、大当たりに当選した場合には、遊技機は、大入賞口が開放されて、多くの賞球を獲得し得る大当たり遊技状態となる。したがって、遊技機が設置されたホールでは、遊技者は、遊技機を大当たり遊技状態にすべく、遊技球を打つことで入賞による大当たりの抽選が行われるように遊技を行う。また、遊技機では、遊技者による遊技球の遊技に伴って、画像表示部での表示や各種のランプの点灯、スピーカによる音響等の各種の演出が行われる。
【０００３】
証紙部品の交換が可能で、かつ、不正に証紙部品を交換した場合にはその発見を可能とするために、表記部品が取り付けられ遊技部品に取り付けられる本体部品が、遊技部品に取り外し不可に固定される固定部と、固定部以外の部分であって内部係止手段を含む係止体部と、固定部と係止体部とを繋ぐ部分であって破壊されることによって固定部と係止体部とを分離可能とする被破壊部と、被破壊部を除いて固定部と係止体部との境界部分に形成された切り欠き部とを備える構成が提案されている（例えば、特許文献１参照）。
【先行技術文献】
【特許文献】
【０００４】
【特許文献１】特開２０１０−２６８９５４号公報
【発明の概要】
【発明が解決しようとする課題】
【０００５】
ここで、例えば証紙台板等の部材を簡単に取り外しできないように遊技盤に取り付ける必要があり、ねじ締めの構造を採用することで、遊技盤への確実な取り付けを実現できる。その一方で、遊技機の製造段階での作業効率を考慮すると、ねじ締めの作業を要する箇所をなるべく少なくして作業の容易化を図ることが好ましい。
本発明は、例えば証紙台板等の部材を遊技盤から取り外し困難な状態に取り付ける作業の容易化を図ることが可能な遊技機を提供することを目的とする。
【課題を解決するための手段】
【０００６】
本発明が適用される遊技機は、遊技球による遊技を行うための遊技領域１１１を有する遊技盤１１０と、当該遊技盤１１０を保持する遊技盤保持枠２２と、を備える遊技機１００であって、前記遊技盤１１０を構成する遊技盤本体６０にねじで取り付けられる取り付け部材９０と、前記遊技盤本体６０に形成された穴部８２に挿入され当該遊技盤本体６０に対する位置決めを行う爪部７２，７３を持ち、当該爪部７２，７３により位置決めされた状態でねじを用いて前記取り付け部材９０にねじ締結され、シール部材ＳＨが貼付される領域７０ａを有する板状部材７０と、を備えることを特徴とするものである。
ここで、前記板状部材７０は、前記取り付け部材９０と共に前記遊技盤本体６０に共通のねじを用いて共締めされることを特徴とすることができる。この場合には、より強固な取り付けが可能になる。
また、前記板状部材７０の前記爪部７２，７３は、互いに離間して形成される一対からなり、前記板状部材７０が前記取り付け部材９０にねじ締結される位置は、前記一対の爪部７２，７３の間であることを特徴とすることができる。この場合には、板状部材を小型にしても対応することが可能になる。
【０００７】
なお、本欄における上記符号は、本発明の説明に際して例示的に付したものであり、この符号により本発明が減縮されるものではない。
【発明の効果】
【０００８】
本発明によれば、例えば証紙台板等の部材を遊技盤から取り外し困難な状態に取り付ける作業の容易化を図ることが可能な遊技機を提供することが可能になる。
【図面の簡単な説明】
【０００９】
【図１】本実施の形態に係るパチンコ遊技機の概略正面図である。
【図２】本実施の形態のパチンコ遊技機の部分平面拡大図である。
【図３】本実施の形態のパチンコ遊技機の制御ユニットの内部構成を示す図である。
【図４】枠部材の構成を説明する斜視図である。
【図５】遊技盤の遊技盤保持枠への取り付けについて説明する斜視図である。
【図６】遊技盤の遊技盤保持枠への取り付けについて説明する斜視図である。
【図７】遊技盤本体の構成を説明する図である。
【図８】遊技盤本体の構成を説明する図である。
【図９】第１の実施の形態に係る遊技盤に取り付けられる証紙台板の外観を示す図である。
【図１０】証紙台板を遊技盤本体に取り付けた状態を示す部分斜視図である。
【図１１】証紙台板の遊技盤本体への取り付けを説明する図である。
【図１２】第２の実施の形態における証紙台板の遊技盤本体への取り付けを説明する分解斜視図である。
【図１３】第３の実施の形態に係る遊技盤に取り付けられる証紙台板の外観を示す図である。
【図１４】証紙台板の遊技盤本体への取り付けを説明する分解斜視図である。
【発明を実施するための形態】
【００１０】
以下、添付図面を参照して、本発明の実施の形態について詳細に説明する。
〔遊技機の基本構成〕
図１は、本実施の形態に係るパチンコ遊技機１００の概略正面図である。
同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０とを備えている。遊技盤１１０は、枠部材１５０に着脱自在に取り付けられている。
【００１１】
遊技盤１１０は、前面に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３とを備えている。
本実施の形態では、遊技者により視認され易い遊技領域１１１の位置に、演出のための各種の画像を表示する画像表示部１１４が配設されている。この画像表示部１１４は、液晶ディスプレイ等による表示画面を備え、遊技者によるゲームの進行に伴い、例えば、図柄抽選結果（図柄変動結果）を遊技者に報知するための装飾図柄を表示したり、キャラクタの登場やアイテムの出現による演出画像を表示したりする。
また、遊技盤１１０の前面に、各種の演出に用いられる可動役物１１５および盤ランプ１１６を備えている。可動役物１１５は、遊技盤１１０上で動作することにより各種の演出を行い、また、盤ランプ１１６は、発光することで各種の演出を行う。
【００１２】
遊技領域１１１には、遊技球が落下する方向に変化を与えるための図示しない遊技くぎおよび風車等が配設されている。また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。
【００１３】
本実施の形態では、入賞や抽選に関する種々の役物として、遊技球が入ると入賞して特別図柄抽選（大当たり抽選）が始動する第１始動口１２１および第２始動口１２２と、遊技球が通過すると普通図柄抽選（開閉抽選）が始動するゲート１２４と、が遊技盤１１０に配設されている。ここにいう第１始動口１２１および第２始動口１２２とは、予め定められた１の特別図柄表示器を作動させることとなる遊技球の入賞に係る入賞口をいう。
第２始動口１２２は、チューリップの花の形をした一対の羽根が電動ソレノイドにより開閉すると共に点灯する普通電動役物としての電動チューリップ１２３を備えている。電動チューリップ１２３は、羽根が閉じていると、遊技球が第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば６秒間）および規定回数（例えば３回）だけ開く。
【００１４】
なお、パチンコ遊技機１００は、所定の条件下で、特別図柄抽選において大当たりに当選する大当たり確率が変動する場合（低確状態（例えば３００分の１）から高確状態（例えば３０分の１）への変動）がある。また、パチンコ遊技機１００は、所定の条件下で、特別図柄抽選時の特別図柄変動時間が短縮されたり、普通図柄抽選時の当選する確率が高まったり、普通図柄抽選時の普通図柄変動時間が短縮されたり、電動チューリップ１２３の羽根の開時間が延長されたり、電動チューリップ１２３の羽根が開く回数が増えたりする場合がある。
【００１５】
また、本実施の形態では、入賞や抽選に関するその他の役物として、特別図柄抽選の結果に応じて開放する特別電動役物としての大入賞口１２５と、遊技球が入賞しても抽選が始動しない普通入賞口１２６と、が遊技盤１１０に配設されている。
なお、本実施の形態では、遊技領域１１１に第１始動口１２１および第２始動口１２２が配設されているが、いずれか一方のみを配設する構成例やさらに他の始動口を配設する構成例も考えられる。また、本実施の形態では、遊技領域１１１に大入賞口１２５が１つ配設されているが、大入賞口１２５を複数配設する構成例も考えられる。
本実施の形態では、遊技盤１１０の右下の位置に、抽選結果や保留数に関する表示を行う表示器１３０が配設されている。
【００１６】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置４０（図５または図６参照）を備えている。また、枠部材１５０は、遊技者のレバー１５２による操作と連動したタイミングで発射装置４０に遊技球を１つずつ順に供給する供給装置（不図示）と、供給装置が発射装置４０に供給する遊技球を一時的に溜めておく皿１５３（図２参照）と、を備えている。この皿１５３には、例えば払い出しユニットによる払出球が払い出される。
なお、本実施の形態では、皿１５３を上下皿一体で構成しているが、上皿と下皿とを分離する構成例も考えられる。また、発射装置４０のハンドル１５１を所定条件下で発光させる構成例も考えられる。
【００１７】
また、枠部材１５０は、発射装置４０のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板１５９（図５または図６参照）を備えている。
【００１８】
図２は、本実施の形態に係るパチンコ遊技機１００を説明する図であり、（ａ）は、遊技盤１１０の右下に配設された表示器１３０の一例を示す拡大図であり、（ｂ）は、パチンコ遊技機１００の部分平面図である。
パチンコ遊技機１００の表示器１３０は、図２の（ａ）に示すように、第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備えている。第１特別図柄表示器２２１は、第１始動口１２１の入賞による特別図柄を変動表示しその抽選結果を表示する。第２特別図柄表示器２２２は、第２始動口１２２の入賞による特別図柄を変動表示しその抽選結果を表示する。普通図柄表示器２２３は、遊技球がゲート１２４を通過することにより普通図柄を変動表示しその抽選結果を表示する。第１特別図柄表示器２２１、第２特別図柄表示器２２２および普通図柄表示器２２３の各々は、ＬＥＤ表示装置で構成され、その点灯態様によって各抽選結果を表す図柄が表示される。
【００１９】
また、表示器１３０は、第１特別図柄表示器２２１での保留に対応して作動する第１特別図柄保留表示器２１８と、第２特別図柄表示器２２２での保留に対応して作動する第２特別図柄保留表示器２１９と、普通図柄表示器２２３での保留に対応して作動する普通図柄保留表示器２２０と、を備えている。第１特別図柄保留表示器２１８、第２特別図柄保留表示器２１９および普通図柄保留表示器２２０の各々は、ＬＥＤ表示装置で構成され、その点灯態様によって保留数が表示される。
【００２０】
ここで、保留について説明する。特別図柄や普通図柄の変動表示動作中（入賞１回分の変動表示が行なわれている間）にさらに他の遊技球による入賞があると、その入賞した遊技球に対する図柄の変動表示動作は、先に入賞した遊技球に対する変動表示動作が終了するまで、規定個数（例えば４個）を限度に保留される。このような保留がなされていることおよびその保留の数（未抽選数）が、第１特別図柄保留表示器２１８、第２特別図柄保留表示器２１９および普通図柄保留表示器２２０に表示される。
【００２１】
パチンコ遊技機１００の枠部材１５０は、遊技者が演出に対する入力を行うための入力装置を備えている。図２の（ｂ）に示すように、本実施の形態では、入力装置の一例として、演出ボタン１６１と、演出ボタン１６１に隣接し、略十字に配列された複数のキーからなる演出キー１６２と、が枠部材１５０に配設されている。演出キー１６２は、その中央に１つの中央キーを配置し、また、中央キーの周囲に略同一形状の４つの周囲キーを配置して構成されている。遊技者は、４つの周囲キーを操作することにより、画像表示部１１４に表示されている複数の画像のいずれかを選ぶことが可能であり、また、中央キーを操作することにより、選んだ画像を情報として入力することが可能である。
【００２２】
〔制御ユニットの構成〕
次に、パチンコ遊技機１００での動作制御や信号処理を行う制御ユニットについて説明する。
図３は、制御ユニットの内部構成を示すブロック図である。同図に示すように、制御ユニットは、メイン制御手段として、内部抽選および当選の判定等といった払い出す賞球数に関する各種制御を行う遊技制御部２００を備えている。また、サブ制御手段として、演出を統括的に制御する演出制御部３００と、画像および音響を用いた演出を制御する画像／音響制御部３１０と、各種のランプおよび可動役物１１５を用いた演出を制御するランプ制御部３２０と、払出球の払い出し制御を行う払出制御部４００と、を備えている。
【００２３】
〔遊技制御部の構成・機能〕
遊技制御部２００は、内部抽選および当選の判定等といった払い出し賞球数に関連する各種制御を行う際の演算処理を行うＣＰＵ２０１と、ＣＰＵ２０１にて実行されるプログラムや各種データ等が記憶されたＲＯＭ２０２と、ＣＰＵ２０１の作業用メモリ等として用いられるＲＡＭ２０３と、を備えている。
遊技制御部２００は、第１始動口１２１または第２始動口１２２に遊技球が入賞すると特別図柄抽選を行い、特別図柄抽選での当選か否かの判定結果を演出制御部３００に送る。また、特別図柄抽選時の当選確率の変動設定（例えば３００分の１から３０分の１への変動設定）、特別図柄抽選時の特別図柄変動時間の短縮設定、および普通図柄抽選時の普通図柄変動時間の短縮設定を行い、設定内容を演出制御部３００に送る。
さらに、遊技制御部２００は、電動チューリップ１２３の羽根の開時間の延長、および電動チューリップ１２３の羽根が開く回数の設定、さらには羽根が開く際の開閉動作間隔の設定を制御する。また、遊技球が連続的に第１始動口１２１または第２始動口１２２へ入賞したときの未抽選分の限度個数（例えば４個）までの保留や、遊技球が連続的にゲート１２４を通過したときの未抽選分の限度個数（例えば４個）までの保留を設定する。
また、遊技制御部２００は、特別図柄抽選の結果に応じて、大入賞口１２５が所定条件（例えば３０秒経過または遊技球１０個の入賞）を満たすまで開状態を維持するラウンドを所定回数だけ繰り返すように制御する。さらには、大入賞口１２５が開く際の開閉動作間隔を制御する。
【００２４】
さらに、遊技制御部２００は、第１始動口１２１、第２始動口１２２、大入賞口１２５および普通入賞口１２６に遊技球が入賞すると、遊技球が入賞した場所に応じて１つの遊技球当たり所定数の賞球を払い出すように、払出制御部４００に対する指示を行う。例えば、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球をそれぞれ払い出すように、払出制御部４００に指示命令（コマンド）を送る。なお、ゲート１２４を遊技球が通過したことを検出しても、それに連動した賞球の払い出しは払出制御部４００に指示しない。
払出制御部４００が遊技制御部２００の指示に従って賞球の払い出しを行った場合には、遊技制御部２００は、払い出した賞球の個数に関する情報を払出制御部４００から取得する。それにより、払い出した賞球の個数を管理する。
【００２５】
遊技制御部２００には、図３に示すように、第１始動口１２１への遊技球の入賞を検出する第１始動口検出部（第１始動口スイッチ（ＳＷ））２１１と、第２始動口１２２への遊技球の入賞を検出する第２始動口検出部（第２始動口スイッチ（ＳＷ））２１２と、電動チューリップ１２３を開閉する電動チューリップ開閉部２１３と、ゲート１２４への遊技球の通過を検出するゲート検出部（ゲートスイッチ（ＳＷ））２１４と、が接続されている。
さらに、遊技制御部２００には、大入賞口１２５への遊技球の入賞を検出する大入賞口検出部（大入賞口スイッチ（ＳＷ））２１５と、大入賞口１２５を閉状態と突出傾斜した開状態とに設定する大入賞口開閉部２１６と、普通入賞口１２６への遊技球の入賞を検出する普通入賞口検出部（普通入賞口スイッチ（ＳＷ））２１７と、が接続されている。
【００２６】
また、遊技制御部２００には、第１始動口１２１への遊技球の入賞により始動した特別図柄抽選（大当たり抽選）の未抽選分の保留個数を限度個数内（例えば４個）で表示する第１特別図柄保留表示器２１８と、第２始動口１２２への遊技球の入賞により始動した特別図柄抽選の未抽選分の保留個数を限度個数内で表示する第２特別図柄保留表示器２１９と、ゲート１２４への遊技球の通過により始動した普通図柄抽選（開閉抽選）が始動する未抽選分の保留個数を限度個数内で表示する普通図柄保留表示器２２０と、が接続されている。
さらに、遊技制御部２００には、第１始動口１２１への遊技球の入賞により始動した特別図柄抽選の結果を表示する第１特別図柄表示器２２１と、第２始動口１２２への遊技球の入賞により始動した特別図柄抽選の結果を表示する第２特別図柄表示器２２２と、普通図柄抽選の結果を表示する普通図柄表示器２２３と、パチンコ遊技機１００の状態を表示する状態表示器２２４と、が接続されている。
【００２７】
そして、第１始動口スイッチ２１１、第２始動口スイッチ２１２、ゲートスイッチ２１４、大入賞口スイッチ２１５および普通入賞口スイッチ２１７にて検出された検出信号が、遊技制御部２００に送られる。また、遊技制御部２００からの制御信号が、電動チューリップ開閉部２１３、大入賞口開閉部２１６、第１特別図柄保留表示器２１８、第２特別図柄保留表示器２１９、普通図柄保留表示器２２０、第１特別図柄表示器２２１、第２特別図柄表示器２２２、普通図柄表示器２２３および状態表示器２２４に送られる。それにより、遊技制御部２００は、上記した払い出し賞球数に関連する各種制御を行う。
【００２８】
さらに、遊技制御部２００には、ホールに設置されたホストコンピュータ（不図示）に対して各種の情報を送信する盤用外部情報端子基板２５０が接続されている。そして、遊技制御部２００は、払出制御部４００から取得した払い出した賞球数に関する情報や遊技制御部２００の状態等を示す情報を、盤用外部情報端子基板２５０を介してホストコンピュータに送信する。
【００２９】
〔演出制御部の構成・機能〕
演出制御部３００は、演出を制御する際の演算処理を行うＣＰＵ３０１と、ＣＰＵ３０１にて実行されるプログラムや各種データ等が記憶されたＲＯＭ３０２と、ＣＰＵ３０１の作業用メモリ等として用いられるＲＡＭ３０３と、日時を計測するリアルタイムクロック（ＲＴＣ）３０４と、を備えている。
演出制御部３００は、例えば遊技制御部２００から送られる特別図柄抽選での当選か否かの判定結果に基づいて、演出内容を設定する。その際、演出ボタン等（演出ボタン１６１および演出キー１６２）を用いたユーザからの操作入力を受けて、操作入力に応じた演出内容を設定する場合もある。その際、演出ボタン等を用いたユーザからの操作入力を受けて、操作入力に応じた演出内容を設定する場合もある。この場合、例えば演出ボタン等のコントローラ（不図示）から操作に応じた信号（操作信号）を受け付け、この操作信号により識別される操作内容を演出の設定に反映させる。また、遊技が所定期間中断された場合には、演出の一つとして客待ち用の画面表示の設定を指示する。
さらには、遊技制御部２００が特別図柄抽選時の当選確率を変動させた場合、特別図柄抽選時の特別図柄変動時間を短縮させた場合、および普通図柄抽選時の普通図柄変動時間を短縮させた場合には、演出制御部３００は設定された内容に対応させて演出内容を設定する。
また、演出制御部３００は、設定した演出内容の実行を指示するコマンドを画像／音響制御部３１０およびランプ制御部３２０に送る。
【００３０】
〔画像／音響制御部の構成・機能〕
画像／音響制御部３１０は、演出内容を表現する画像および音響を制御する際の演算処理を行うＣＰＵ３１１と、ＣＰＵ３１１にて実行されるプログラムや各種データ等が記憶されたＲＯＭ３１２と、ＣＰＵ３１１の作業用メモリ等として用いられるＲＡＭ３１３と、を備えている。
そして、画像／音響制御部３１０は、演出制御部３００から送られたコマンドに基づいて、画像表示部１１４に表示する画像およびスピーカ１５６から出力する音響を制御する。
具体的には、画像／音響制御部３１０のＲＯＭ３１２には、画像表示部１１４において遊技中に表示する図柄画像や背景画像、遊技者に抽選結果を報知するための装飾図柄、遊技者に予告演出を表示するためのキャラクタやアイテム等といった画像データが記憶されている。さらには、画像データと同期させて、または画像データとは独立にスピーカ１５６から出力させる楽曲や音声、さらにはジングル等の効果音等といった各種音響データが記憶されている。ＣＰＵ３１１は、ＲＯＭ３１２に記憶された画像データや音響データの中から、演出制御部３００から送られたコマンドに対応したものを選択して読み出す。さらには、読み出した画像データを用いて背景画像表示、図柄画像表示、図柄画像変動、およびキャラクタ／アイテム表示等のための画像処理と、読み出した音響データを用いた音声処理とを行う。
そして、画像／音響制御部３１０は、画像処理された画像データにより画像表示部１１４での画面表示を制御する。また、音声処理された音響データによりスピーカ１５６から出力される音響を制御する。
【００３１】
〔ランプ制御部の構成・機能〕
ランプ制御部３２０は、盤ランプ１１６や枠ランプ１５７の発光、および可動役物１１５の動作を制御する際の演算処理を行うＣＰＵ３２１と、ＣＰＵ３２１にて実行されるプログラムや各種データ等が記憶されたＲＯＭ３２２と、ＣＰＵ３２１の作業用メモリ等として用いられるＲＡＭ３２３と、を備えている。
そして、ランプ制御部３２０は、演出制御部３００から送られたコマンドに基づいて、盤ランプ１１６や枠ランプ１５７の点灯／点滅や発光色等を制御する。また、可動役物１１５の動作を制御する。
具体的には、ランプ制御部３２０のＲＯＭ３２２には、演出制御部３００にて設定される演出内容に応じた盤ランプ１１６や枠ランプ１５７での点灯／点滅パターンデータおよび発光色パターンデータ（発光パターンデータ）が記憶されている。ＣＰＵ３２１は、ＲＯＭ３２２に記憶された発光パターンデータの中から、演出制御部３００から送られたコマンドに対応したものを選択して読み出す。そして、ランプ制御部３２０は、読み出した発光パターンデータにより盤ランプ１１６や枠ランプ１５７の発光を制御する。
また、ランプ制御部３２０のＲＯＭ３２２には、演出制御部３００にて設定される演出内容に応じた可動役物１１５の動作パターンデータが記憶されている。ＣＰＵ３２１は、可動役物１１５に対しては、読み出した動作パターンデータによりその動作を制御する。
【００３２】
〔払出制御部の構成・機能〕
払出制御部４００は、払出球の払い出しを制御する際の演算処理を行うＣＰＵ４０１と、ＣＰＵ４０１にて実行されるプログラムや各種データ等が記憶されたＲＯＭ４０２と、ＣＰＵ４０１の作業用メモリ等として用いられるＲＡＭ４０３と、を備えている。
そして、払出制御部４００は、遊技制御部２００から送られたコマンドに基づいて、払出球の払い出しを制御する。
具体的には、払出制御部４００は、遊技制御部２００から、遊技球が入賞した場所（第１始動口１２１等）に応じた所定数の賞球を払い出すコマンドを取得する。そして、コマンドに指定された数だけの賞球を払い出すように払出駆動部４１１を制御する。ここでの払出駆動部４１１は、遊技球の貯留部から遊技球を送り出す駆動モータで構成される。
【００３３】
また、払出制御部４００には、払出駆動部４１１により遊技球の貯留部から実際に払い出された賞球の数を検出する払出球検出部４１２と、貯留部（不図示）での遊技球の貯留の有無を検出する球有り検出部４１３と、遊技者が遊技する際に使用する遊技球や払い出された賞球が保持される皿１５３が満タン状態に有るか否かを検出する満タン検出部４１４と、が接続されている。そして、払出制御部４００は、払出球検出部４１２、球有り検出部４１３および満タン検出部４１４にて検出された検出信号を受け取り、これらの検出信号に応じた所定の処理を行う。
さらに、払出制御部４００には、ホールに設置されたホストコンピュータに対して各種の情報を送信する枠用外部情報端子基板４５０が接続されている。そして、払出制御部４００は、例えば払出駆動部４１１に対して払い出すように指示した賞球数に関する情報や払出球検出部４１２にて検出された実際に払い出された賞球数に関する情報等を枠用外部情報端子基板４５０を介してホストコンピュータに送信する。また、遊技制御部２００に対しても、同様の情報を送信する。
【００３４】
〔枠部材１５０の構成〕
次に、パチンコ遊技機１００の枠部材１５０の構成について説明する。
図４は、枠部材１５０の構成を説明する斜視図である。
同図に示すように、枠部材１５０は、縦長の所謂フレーム構造である枠部材本体としての外枠１０と、外枠１０に開閉自在に装着される前面枠（内枠）２０と、を備えている。
【００３５】
外枠１０は、４つの金属製の枠部材である右縦枠部材１１、左縦枠部材１２、上横枠部材１３および下横枠部材１４と、外枠１０の四隅に位置し、隣り合う枠部材を相互に連結する角部材１５とを有する。
外枠１０の前面下部には、下横枠部材１４と同じ方向（横方向、左右方向）に延びる幕板１６が取り付けられている。なお、幕板１６の上端の縦方向の位置は、下横枠部材１４の上端の縦方向の位置と略同一である。また、幕板１６の前面（遊技者側の面）には、例えば社名やロゴ等を付すことで意匠的な装飾を施すことが可能である。
また、外枠１０は、前面枠２０が開閉する際に前面枠２０と摺動する樹脂製の摺動部１７を有する。より具体的には、この摺動部１７は、下横枠部材１４に取り付けられている。また、摺動部１７は、下横枠部材１４の上面に位置し、かつ、前面枠２０の回転軸が位置する側とは反対側（同図での右側）に片寄って位置している。そして、摺動部１７は、前面枠２０の遊技盤保持枠２２が閉じている状態で遊技盤保持枠２２の下面と当接して前面枠２０を保持する。このため、前面枠２０が閉じている状態には、前面枠２０と幕板１６との間に、隙間が形成されることになる。
【００３６】
前面枠２０は、上下方向に回転軸が延びるように一側部（図１での左側部）が外枠１０に取り付けられている。付言すると、前面枠２０は、透明板１５９（図５または図６参照）を所定位置に保持する透明板保持枠２１と、遊技盤１１０を所定位置に保持する遊技盤保持枠２２と、を備えている。そして、図４に示すように、閉めた状態の透明板保持枠２１および遊技盤保持枠２２を一体で外枠１０に対して回転させて開けることが可能である。また、後述するように、透明板保持枠２１および遊技盤保持枠２２を閉めた状態において、遊技盤保持枠２２を単独で外枠１０および遊技盤保持枠２２に対して回転させて開けることが可能である（図４参照）。
なお、前面枠２０の遊技盤保持枠２２には、外枠１０の右縦枠部材１１と係合して前面枠２０が開かないように施錠するための施錠部材２３，２４，２５が設けられている。この施錠部材２３，２４，２５は、パチンコ遊技機１００の正面側に配設されている鍵穴１５８（図１参照）に不図示の鍵を差し込んで所定の方向に回転することで、連動して施錠動作および開錠動作を行う。
【００３７】
なお、遊技盤１１０の後面には、各種の基板等が取り付けられ、また、これら各種の基板等は、内部が視認可能な透明のカバー５１０によって覆われている。この各種の基板等について付言すると、遊技盤１１０の後面には、メイン基板およびサブ基板が配設されている。すなわち、遊技盤１１０の後面には、メイン基板として、内部抽選および当選の判定等を行う遊技制御部が構成された遊技制御基板５２０が配設されている。この遊技制御基板５２０は、開封することにより痕跡が残るように透明部材で構成されたメイン基板ケース５４０に密封されている。
【００３８】
また、サブ基板として、演出を統括的に制御する演出制御部が構成された演出制御基板５３０、画像および音による演出を制御する画像/音響制御部が構成された画像制御基板（不図示）、および、各種のランプおよび可動役物１１５による演出を制御するランプ制御部が構成されたランプ制御基板（不図示）等が配設されている。また、遊技盤１１０の後面には、供給された２４ＶのＡＣ電源をＤＣ電源に変換して各種の基板等に出力するスイッチング電源５５０が配設されている。
付言すると、払出球の払い出し制御を行う払出制御部が構成された払出制御基板（不図示）と、払出制御基板により制御され、外部から補給された補給球を一時的に溜めておき、賞球の払い出しや貸し球の払い出しを行う払い出しユニット５６０と、が枠部材１５０の前面枠２０に配設されている。
【００３９】
〔遊技盤１１０の遊技盤保持枠２２への取り付け〕
図５および図６は、遊技盤１１０の遊技盤保持枠２２への取り付けについて説明する斜視図である。図５の（ａ），（ｂ）および図６の（ａ），（ｂ）は、取り付けの作業手順を時系列的に示すものである。取り付けの作業手順を逆にしたものが、遊技盤１１０を遊技盤保持枠２２から取り外す作業の手順になる。なお、図５〜図６での説明に際し「左」および「右」という文言を用いるが、遊技盤１１０ないし遊技盤保持枠２２の正面視で左側を「左」ないし「左側」といい、遊技盤１１０ないし遊技盤保持枠２２の正面視で右側を「右」ないし「右側」というものとする。
図５の（ａ）に示すように、遊技盤保持枠２２は、遊技盤１１０を載置する載置部５１と、載置部５１に載置される遊技盤１１０を部分的に受け入れる受け入れ部５２と、受け入れ部５２に受け入れられた遊技盤１１０を遊技盤保持枠２２に固定する固定部５３と、を備えている。
この載置部５１は、遊技盤保持枠２２の幅方向Ｗに延びて形成されている。載置部５１は、載置された遊技盤１１０の荷重が直接加わる部分であり、遊技盤１１０が有する遊技盤本体６０の底面（不図示）と接触する。
【００４０】
受け入れ部５２は、載置部５１よりも上方に位置し、遊技盤保持枠２２の左側に位置する。受け入れ部５２は、上下方向の高さが互いに異なる位置に２つ取り付けられており、遊技盤保持枠２２に固定されている。受け入れ部５２は、平面視でコ字状に形成されており、載置部５１に載置された遊技盤１１０の左側部分１１０ａを受け入れ可能である。すなわち、受け入れ部５２の前側にて遊技盤１１０の遊技盤本体６０の前面６０ａ（図７または図８参照）を受け、受け入れ部５２の後ろ側にて遊技盤本体６０の後面６０ｂ（図７または図８参照）を受ける。
受け入れ部５２は、受け入れた遊技盤１１０の遊技盤保持枠２２に対する位置を規正する。言い換えると、受け入れ部５２は、遊技盤１１０の遊技盤保持枠２２に対する位置合わせを行う。
【００４１】
固定部５３は、載置部５１よりも上方に位置する２つの止め金具により構成されている。遊技盤１１０は、遊技盤１１０の左側部分１１０ａが受け入れ部５２により位置合わせされた状態で、遊技盤１１０の右側部分１１０ｂが上側と下側の合計２個所で固定部５３により遊技盤保持枠２２に固定される（図６の（ｂ）参照）。
【００４２】
遊技盤１１０を遊技盤保持枠２２に取り付ける際には、図５の（ｂ）に示すように、作業者は、まず遊技盤１１０の左側部分１１０ａを遊技盤保持枠２２の載置部５１に置く。なお、この場合には、遊技盤１１０は、載置部５１の長手方向に対して斜めに置かれている。すなわち、遊技盤１１０の右側部分は載置部５１に置かれておらず、遊技盤保持枠２２から飛び出ている状態であることから、遊技盤１１０を作業者が手で支えている必要がある。
【００４３】
そして、図６の（ａ）に示すように、作業者は、遊技盤１１０を左奥に移動させて遊技盤１１０の左側部分１１０ａを受け入れ部５２に受け入れさせる。続けて、作業者は、遊技盤１１０の右側部分１１０ｂを遊技盤保持枠２２の奥方向に押し込む。すなわち、遊技盤保持枠２２の受け入れ部５２を中心にして遊技盤１１０を回転させる。受け入れ部５２が遊技盤１１０の左側部分１１０ａを受け入れている状態のまま遊技盤１１０を載置部５１にて回転させる。
これにより、図６の（ｂ）に示すように、遊技盤１１０の右側部分１１０ｂが載置台に載置され、かつ、遊技盤１１０は、固定部５３により固定可能な位置に設置される。その後に、作業者は、固定部５３により遊技盤１１０を固定する。
【００４４】
なお、透明板保持枠２１を遊技盤保持枠２２に対して回転させて開けた状態では、透明板保持枠２１に取り付けられた球送り装置３０と、遊技盤保持枠２２に取り付けられた発射装置４０と、が露出する。付言すると、透明板保持枠２１を開けた状態では（図５または図６参照）、球送り装置３０が発射装置４０から離れて位置する一方で、透明板保持枠２１を閉めた状態では（図４参照）、球送り装置３０が発射装置４０に隣接して位置する。
球送り装置３０および発射装置４０は、遊技者がハンドル１５１（図１参照）に触れてレバー１５２（同図参照）を操作したことを検知するとレバー１５２の操作角度に対応する打球力で皿１５３（図２の（ｂ）参照）の遊技球を発射する等の機能を果たす発射ユニットを構成する。
【００４５】
〔遊技盤１１０が有する遊技盤本体６０について〕
本実施の形態に係る遊技盤１１０は、遊技盤本体６０を有する。この本実施の形態に係る遊技盤本体６０は、ベニヤ（合板、木）製ではなく、光を透過する樹脂製の板状部材であり、透明遊技板である。より詳しくは、遊技盤本体６０は、凹凸形状や切欠き形状を成形により一体形成されるものであり、ポリカーボネート（ＰＣ）製である。すなわち、本実施の形態に係る遊技盤本体６０は、凹凸形状や切欠き形状を切削する工程を省略することが可能であり、このために、凹凸形状や切欠き形状の端面が磨りガラス状に形成されない。
【００４６】
本実施の形態に係る遊技盤本体６０を、素材としてのアクリル製の板材を切削加工により凹凸形状や切欠き形状を形成する場合にも適用することが考えられる。この場合には、凹凸形状や切欠き形状の端面が磨りガラス状に形成される。
また、本実施の形態に係る遊技盤本体６０を、樹脂製部材を接着剤で互いに貼り合わせることで構成する場合にも適用することが考えられる。
【００４７】
ここで、遊技盤本体６０がベニヤ製の場合に比べてアクリル製の方が優れている点としては、まず役物構成の自由度が向上することが挙げられる。すなわち、アクリル製の場合は、ゲージ部分の裏側にも役物や電飾を配置して見せることが可能になり、遊技盤の更なる作り込みが可能になる。また、見た目のインパクトや高級感に優れていること等も挙げられる。
付言すると、アクリル製を採用するときにベニヤ製の場合に比べて懸念される事項としては、コスト高、量産性の低下、遊技くぎの破損、剛性の低下が挙げられる。剛性の低下について補足説明すると、アクリル製の場合は厚さが１０ｍｍであり、厚さ１９ｍｍとなるベニヤ製の場合よりも薄くなり、たわみ易い。
【００４８】
また、遊技盤本体６０がアクリル製の場合に比べてポリカーボネート製の方が優れている点としては、まずコストが安いことが挙げられる。より具体的には、成形法の違いによるＮＣ加工工数の違いや、成形後の管理の違い、材料自体の単価とその使用量の違いを起因とするコスト削減である。
すなわち、アクリル製の場合には、押出成形による素材としての板材を、外形加工、大径穴小径穴の加工、ルーター加工、遊技くぎの下穴加工および外形面取りの順でＮＣ加工を行う。その一方で、ポリカーボネート製の場合には、射出成形で成形した後に、小径穴の加工、ゲートカット処理および遊技くぎの下穴加工の順でＮＣ加工を行う。このため、成形法の違いによるＮＣ加工工数の違いが顕著である。
また、アクリルは吸水することで変形が起こるために外気の温度や湿度の管理を必要とするものである。その一方で、ポリカーボネートは、成形後の変形がほとんどなく、外気の温度や湿度の管理をアクリルの場合よりも厳密に行う必要がない。このため、成形後の管理の違いが顕著である。
また、アクリル製の場合は、アクリルにゴム成分が入った高価な押し出し材料であり、ルーター加工分の無駄な材料費の削減が困難である。その一方で、ポリカーボネート製の場合には、アクリル製の場合に比べて材料が安価であり、射出成形後のＮＣ加工が少ないことから、無駄な材料費がほとんど発生しない。このため、材料自体の単価とその使用量の違いが顕著である。
【００４９】
また、他の優れている点としては、環境に良いこと、遊技盤自体に形状が設けられること、量産性に優れていること、遊技くぎが折れ難いこと、管理がし易いこと、重量が軽くなること等も挙げられる。
付言すると、ポリカーボネート製を採用するときにアクリル製の場合に比べて懸念される事項としては、耐薬品性が弱くなること、形状の変更が困難であること、耐傷性が弱くなること等が挙げられる。
なお、上述したように、アクリル製の遊技盤本体６０を用いる構成例を説明するが、ベニヤ製のものを用いることも考えられる。
【００５０】
次に、遊技盤本体６０の構成について説明する。
図７および図８は、遊技盤本体６０の構成を説明する図である。図７の（ａ）は平面図、（ｂ）は正面図、（ｃ）は左側面図、（ｄ）は右側面図、（ｅ）は底面図である。図８の（ａ）は背面図であり、（ｂ）は、（ａ）の線Ｘ−Ｘによる断面図である。
図７および図８に示すように、樹脂製の遊技盤本体６０は、各種役物等を取り付けるための切欠き形状を有する。例えば、遊技盤本体６０には、センター飾り（不図示）取り付け用の開口部６１や、第１始動口１２１および第２始動口１２２取り付け用の開口部６２、大入賞口１２５取り付け用の開口部６３等が形成されている。これらの開口部６１，６２，６３は、遊技盤本体６０の前面６０ａから後面６０ｂへ貫通している。なお、開口部６１は、ゲート１２４取り付け用の領域６１ａを有する。
【００５１】
また、遊技盤本体６０には、証紙台板７０（図９参照）取り付け用の取り付け部６４が遊技盤本体６０の右下の位置に形成されている。言い換えると、取り付け部６４は、大入賞口１２５取り付け用の開口部６３の近傍に形成されている（図７参照）。取り付け部６４は、凹形状に形成されている。
証紙台板７０および取り付け部６４の詳細については後述する。
【００５２】
遊技盤本体６０の前面６０ａは、遊技盤１１０の遊技領域１１１を形成するものであり、略平たんに形成されている（図７参照）。その一方で、遊技盤本体６０の後面６０ｂは、凹凸形状に形成されている（図８参照）。
さらに説明すると、遊技盤本体６０は、縁部に沿って全周にわたって延びる縁リブ６５を備えている。この縁リブ６５は、前面６０ａから後方に向けて立設して形成されている。言い換えると、縁リブ６５は、遊技盤本体６０の厚さ方向に突出している。このような縁リブ６５を備える構造を採用することで、遊技盤本体６０の剛性を高めている。また、遊技盤本体６０に各種役物等の部品を取り付ける際に縁リブ６５を利用することで作業性を向上させることが可能になる。また、遊技盤１１０を遊技盤保持枠（不図示）に取り付ける際に作業者が縁リブ６５に指をかけて行うことにより作業性を向上させることが可能になる。
【００５３】
このように樹脂製の遊技盤本体６０が形成されることで、遊技盤本体６０の厚さＴが確保される。ここにいう厚さＴは、遊技盤本体６０の前面６０ａと後面６０ｂとの間の離間距離をいう。より詳しくは、遊技盤本体６０の後面６０ｂは、上述の縁リブ６５の端面および各種のボス部やリブの端面により画定される。言い換えると、縁リブ６５の端面や各種のボス部等の端面は互いに、ほぼ面一に形成されている。
また、樹脂製の遊技盤本体６０の厚さＴは、ベニヤ製の遊技盤の厚さと同じであり、１９ｍｍである。このため、本実施の形態では、枠部材１５０、より具体的には遊技盤保持枠（不図示）の共用化を図ることが可能である。
【００５４】
図８の（ｂ）に示すように、樹脂製の遊技盤本体６０では、後面６０ｂ側をくり抜いた形にすることにより、遊技領域１１１（図１参照）に対応する後面６０ｂの部分６６を板厚ｔ１とし、それ以外の後面６０ｂの部分６７を板厚ｔ２としている（ｔ２＜ｔ１＜Ｔ）。すなわち、遊技盤本体６０の縁部に縁リブ６５を形成し、かつ、縁リブ６５で囲まれた部分の後面６０ｂ側をへこますことにより縁リブ６５で囲まれた部分の板厚を薄くしている。このため、本実施の形態では、遊技盤本体６０の必要な強度を確保しつつ、遊技盤本体６０の軽量化を図ることが可能である。
また、厚さＴよりも薄い板厚ｔ１に形成された遊技盤本体６０の部分６６を設けることにより、遊技盤本体６０に取り付けられる各種役物等がなるべく前面６０ａ寄りに位置することになる。このため、遊技盤本体６０の後面６０ｂのスペースをより広く確保することが可能になり、各種の機構部品等の設計条件を緩和することが可能になる。
【００５５】
なお、後面６０ｂの部分６６は、遊技くぎを取り付けるために必要な厚さを確保すべく、それ以外の後面６０ｂの部分６７の板厚ｔ２よりも厚い板厚ｔ１を採用している。
また、大入賞口１２５取り付け用の開口部６３の近傍に位置する後面６０ｂの部分６８を、板厚ｔ１よりも薄い板厚ｔ３としている（ｔ３＜ｔ１）。これにより、大入賞口１２５の取り付け位置をさらに前面６０ａ寄りに配置することが可能になる。付言すると、板厚ｔ３は、板厚ｔ２よりも厚い。
【００５６】
〔第１の実施の形態〕
次に、第１の実施の形態に係る遊技盤１１０について説明する。なお、第１の実施の形態に係る遊技盤１１０は、上述の遊技盤本体６０（図７および図８参照）および後述の証紙台板７０（図９参照）を含んで構成されている。
まず、第１の実施の形態で用いられる証紙台板７０について説明し、その後に証紙台板７０を遊技盤本体６０に取り付ける構造について説明する。
【００５７】
〔証紙台板７０の構成〕
図９は、第１の実施の形態に係る遊技盤１１０に取り付けられる証紙台板７０の外観を示す図であり、（ａ）は、証紙台板７０の正面図であり、（ｂ）は、後面７０ｂ側から見た証紙台板７０の斜視図である。
図９の（ａ）に示すように、第１の実施の形態で用いられる証紙台板７０は、例えばＡＢＳ(Acrylonitrile Butadiene Styrene)等の樹脂製であり、平たんな前面７０ａを持つ。証紙台板７０の前面７０ａには、一点鎖線で図示の証紙ＳＨが貼り付けられる領域が形成されている。
ここにいう証紙ＳＨは、検定を受けていることを証するものであり、例えば製造会社名や製造年月等を特定する表示が記載されている。証紙ＳＨは、ホール店に設置されるためには必要なシール部材である。付言すると、例えばホール店から撤去されてリサイクルされる際には、証紙ＳＨがパチンコ遊技機１００から剥がされる。
【００５８】
また、図９の（ｂ）に示すように、証紙台板７０の後面７０ｂには、各種の取り付け形状部が形成されている。すなわち、証紙台板７０は、下側に位置する爪形状部７１と、上側に位置し、上側に位置する一対の爪形状部７２，７３と、を後面７０ｂに備えている。また、証紙台板７０は、爪形状部７２と爪形状部７３との間に位置し、後面７０ｂから盛り上がって形成されたボス７４と、ボス７４の端面からボス７４の長さ方向に延びるように形成された取り付け穴７５と、を後面７０ｂに備えている。
爪形状部７１および一対の爪形状部７２，７３は、弾性変形可能なバネ性を持ち、遊技盤本体６０と係合する爪が先端に形成されている。爪形状部７１および一対の爪形状部７２，７３は、証紙台板７０の後面７０ｂから起立するように立設して形成されている。
なお、証紙台板７０の後面７０ｂには、証紙台板７０を補強するための補強リブ７６が形成されている。
【００５９】
一対の爪形状部７２，７３についてさらに説明する。一対の爪形状部７２，７３の各々は、対向する面が平たんに形成され、かつ、爪が互いに反対の方向に向いて形成されている。また、証紙台板７０の背面視で、爪形状部７１の爪は下方に延び、爪形状部７２の爪は左方向に延び、爪形状部７３の爪は右方向に延びている。
なお、ボス７４は、爪形状部７２，７３と略同一の高さである。すなわち、ボス７４の端面から前面７０ａまでの距離と爪形状部７２，７３の先端から前面７０ａまでの距離は、互いに略同一である。
【００６０】
〔証紙台板７０を遊技盤本体６０に取り付ける構造〕
次に、証紙台板７０を遊技盤本体６０に取り付ける構造について図１０および図１１を用いて説明する。
図１０は、証紙台板７０を遊技盤本体６０に取り付けた状態を示す部分斜視図であり、遊技盤本体６０（図７参照）の正面視右下部分を拡大して示す。
図１０に示すように、遊技盤本体６０の取り付け部６４に証紙台板７０が遊技盤本体６０の前面６０ａ側から取り付けられる。また、遊技盤本体６０の後面６０ｂ側（図１０の奥側）から遊技盤本体６０に大入賞口ブラケット９０が取り付けられる。この大入賞口ブラケット９０は、大入賞口１２５（図１参照）を遊技盤本体６０の開口部６３（図７または図８参照）に対して位置決めして遊技盤本体６０に固定するためのものである。
さらに説明すると、証紙台板７０は、爪形状部７１および一対の爪形状部７２，７３により遊技盤本体６０に取り付けられ、また、大入賞口ブラケット９０は、後述のねじ部材Ｓ１（図１１参照）等の複数の締結部材により遊技盤本体６０に取り付けられる。
【００６１】
図１１は、証紙台板７０の遊技盤本体６０への取り付けを説明する図である。同図の（ａ）は、分解斜視図であり、（ｂ）は、遊技盤本体６０（図８参照）の背面視左下部分を拡大して示す部分背面図である。
図１１の（ａ）に示すように、遊技盤本体６０の取り付け部６４には、証紙台板７０の爪形状部７１を受け入れるための切欠き部８１と、証紙台板７０の一対の爪形状部７２，７３およびボス７４を受け入れるための切欠き部８２と、が形成されている。切欠き部８１は、取り付け部６４の下側に位置し、切欠き部８２は、取り付け部６４の上側に位置する。
これら切欠き部８１，８２は、遊技盤本体６０の厚さＴ（図７参照）の方向に貫通して形成されている。切欠き部８１は、受け入れた爪形状部７１と係合し、また、切欠き部８２は、受け入れた一対の爪形状部７２，７３と係合する。
【００６２】
ここで、大入賞口ブラケット９０は、取り付け穴９１を含む複数の取り付け穴（不図示）を備えている。このような複数の取り付け穴を用いて、大入賞口ブラケット９０が複数の締結部材で遊技盤本体６０の後面６０ｂに取り付けられる。
また、大入賞口ブラケット９０は、遊技盤本体６０に対する位置決めを行うための突起状の位置決めボス部９２と、証紙台板７０の取り付け穴７５と対応する取り付け穴９３と、を備えている。
【００６３】
そして、遊技盤本体６０には、上述したように構成された大入賞口ブラケット９０を遊技盤本体６０の後面６０ｂに取り付けるのに用いられるメネジ部８３およびクボミ部８４が形成されている。これらメネジ部８３およびクボミ部８４は、取り付け部６４の近傍、より具体的には取り付け部６４の上側に位置する。遊技盤本体６０が樹脂製であることから、メネジ部８３およびクボミ部８４は、遊技盤本体６０における位置精度が比較的高くなるように形成されている。
メネジ部８３およびクボミ部８４はいずれも、遊技盤本体６０の厚さＴ（図７参照）の方向に貫通していない。すなわち、メネジ部８３およびクボミ部８４に対応する遊技盤本体６０の前面６０ａは平たんである。
【００６４】
遊技盤本体６０のメネジ部８３は、大入賞口ブラケット９０の取り付け穴９１から挿入されるねじ部材Ｓ１と螺合する。また、遊技盤本体６０のクボミ部８４は、大入賞口ブラケット９０の位置決めボス部９２を受け入れることで、大入賞口ブラケット９０を遊技盤本体６０に対して比較的高い精度で位置決めする。
【００６５】
ここで、大入賞口ブラケット９０は、取り付け穴９３が穿設されている突出片９４を備えている。この突出片９４は、図１１の（ｂ）に示すように、証紙台板７０の爪形状部７２と爪形状部７３との間の離間距離よりも小さい形状であり、一対の爪形状部７２，７３と干渉しないように構成されている。
【００６６】
さらに説明すると、証紙台板７０は、爪形状部７１および一対の爪形状部７２，７３を遊技盤本体６０の切欠き部８１，８２に前面６０ａ側から挿入されて位置決めされ、かつ、大入賞口ブラケット９０の取り付け穴９３にねじ部材Ｓ２が挿入されて取り付けられるものである。すなわち、証紙台板７０は、爪形状部７１および一対の爪形状部７２，７３が遊技盤本体６０と係合する状態（位置決め状態）で、ねじ部材Ｓ２を締め付けるねじ締結によって取り外し困難なように遊技盤本体６０の後面６０ｂ側に固定される。
なお、上述したように、大入賞口ブラケット９０は、ねじ部材Ｓ１等の複数の締結部材により遊技盤本体６０の後面６０ｂ側に固定される。
【００６７】
言い換えると、証紙台板７０の爪形状部７１が遊技盤本体６０の切欠き部８１と係合すると共に証紙台板７０の爪形状部７２，７３が遊技盤本体６０の切欠き部８２と係合している場合であっても、ねじ部材Ｓ２が証紙台板７０の取り付け穴７５と螺合していない状態では、証紙台板７０が遊技盤本体６０に固定されていない。そのため、そのような状態では、爪形状部７１，７２，７３の係合状態を解除させるだけで、証紙台板７０を遊技盤本体６０から容易に取り外すことができる。爪形状部７１，７２，７３の係合状態を解除させる作業は、工具がなくても実行可能である。
【００６８】
別の言い方をすれば、証紙台板７０が遊技盤本体６０に固定されている場合に、遊技盤本体６０の後面６０ｂ側から工具でねじ部材Ｓ２を緩ませれば、遊技盤本体６０の前面６０ａ側から証紙台板７０を取り外すことが可能であり、大入賞口ブラケット９０を遊技盤本体６０から取り外す必要がない。
より詳細に説明する。遊技盤１１０がホール店から撤去されてリサイクルされる際に証紙ＳＨ（図９参照）が遊技盤１１０から除去される。すなわち、そのようなリサイクルの際には、遊技盤１１０を遊技盤保持枠２２から取り外す作業（図６の（ｂ），（ａ）および図５の（ｂ）の順で参照）を行った後に、証紙台板７０を遊技盤本体６０から取り外す作業を行う。
【００６９】
このような証紙台板７０を遊技盤本体６０から取り外す作業の内容としては、遊技盤本体６０の後面６０ｂ側にて行う第１の作業と、第１の作業の後に遊技盤本体６０の前面６０ａ側にて行う第２の作業と、がある。
ここにいう第１の作業は、工具としてのドライバー（不図示）を遊技盤本体６０の後面６０ｂ側から大入賞口ブラケット９０の突出片９４に向けて差し込み、ねじ部材Ｓ２をドライバー（不図示）で緩めるものである。また、ここにいう第２の作業は、遊技盤本体６０の前面６０ａ側にて例えば作業者の手で証紙台板７０を遊技盤本体６０から剥がすように動かすものである。このように証紙台板７０を動かすことで爪形状部７１，７２，７３の係合状態が解除され、証紙台板７０を遊技盤本体６０から取り外すことができる。
【００７０】
このように、ねじ部材Ｓ２を緩めさえすれば、大入賞口ブラケット９０を遊技盤本体６０から取り外さなくても証紙台板７０を遊技盤本体６０から取り外す作業を行うことができ、作業を効率的に行える。
さらに説明すると、遊技盤本体６０の後面６０ｂ側には、各種の部材や装置例えば、カバー５１０、遊技制御基板５２０、演出制御基板５３０、メイン基板ケース５４０およびスイッチング電源５５０（図４参照）等が取り付けられている。このため、リサイクルに伴って証紙台板７０を遊技盤本体６０から取り外す際に、仮に大入賞口ブラケット９０等を取り外す工程が必要であるとすると、第１の作業の作業工数が増大になり、作業性の向上を図ることが困難になる。この点で、本実施の形態では、大入賞口ブラケット９０の取り外しを行うことなく、一つのねじ部材Ｓ２を緩める作業を行うことで第１の作業を終えるので、作業性の向上を図ることが可能である。
【００７１】
ここで、パチンコ遊技機１００は遊技機の一例であり、遊技盤１１０は遊技盤の一例であり、遊技領域１１１は遊技領域の一例であり、遊技盤保持枠２２は遊技盤保持枠の一例である。遊技盤本体６０は遊技盤本体の一例であり、切欠き部８２は穴部の一例である。
大入賞口ブラケット９０は取り付け部材の一例である。証紙台板７０は板状部材の一例であり、一対の爪形状部７２，７３は爪部の一例であり、前面７０ａはシール部材が貼付される領域の一例である。
【００７２】
〔第２の実施の形態〕
次に、第２の実施の形態に係る遊技盤１１０について図１２を用いて説明する。なお、第２の実施の形態は、第１の実施の形態と共通する構成・機能を有することから、共通する構成には、同じ符号を用い、また、共通する構成・機能の説明および図示を省略することがある。第１の実施の形態について上述した各種の変形例を、第２の実施の形態に適用することが考えられる。
図１２は、第２の実施の形態における証紙台板７０の遊技盤本体６０への取り付けを説明する分解斜視図であり、第１の実施の形態での図１１に対応するものである。
図１２に示すように、第２の実施の形態では、証紙台板７０のボス７４が第１の実施の形態の場合よりも短く、また、遊技盤本体６０の切欠き部８２が２つ形成されると共に２つの切欠き部８２の間の前面６０ａに、取り付け穴８６が形成されている。この取り付け穴８６の大きさは、証紙台板７０におけるボス７４の取り付け穴７５に対応するものである。
２つの切欠き部８２のうち正面視で左側の切欠き部８２は、証紙台板７０の爪形状部７２と係合し、また、正面視で右側の切欠き部８２は、証紙台板７０の爪形状部７３と係合する。なお、本実施の形態では、遊技盤本体６０の２つの切欠き部８２のいずれも、証紙台板７０のボス７４を受け入れるものではなく、この点で第１の実施の形態での切欠き部８２と異なる。
【００７３】
さらに説明すると、証紙台板７０が遊技盤本体６０に取り付けられる際には、証紙台板７０の爪形状部７２，７３の各々が、２つの切欠き部８２をそれぞれ貫通し、遊技盤本体６０の後面６０ｂに突出した爪が切欠き部８２と係合する。こうして遊技盤本体６０に対して位置決めされた証紙台板７０の取り付け穴７５は、遊技盤本体６０の取り付け穴８６に位置合わせされる。
そして、ねじ部材Ｓ２が大入賞口ブラケット９０の取り付け穴９３に挿入されると、遊技盤本体６０の取り付け穴８６を通って証紙台板７０の取り付け穴７５に螺合される。ねじ部材Ｓ２を締め付けることで、証紙台板７０が遊技盤本体６０に大入賞口ブラケット９０と共にねじ締結される。すなわち、証紙台板７０は、共通のねじ部材Ｓ２で遊技盤本体６０と共に遊技盤本体６０に共締めされる。
【００７４】
付言すると、証紙台板７０の爪形状部７２，７３の各々を、２つの切欠き部８２にそれぞれ貫通させる際に、証紙台板７０のボス７４の端面が遊技盤本体６０の取り付け部６４における前面６０ａに当接し、これにより、遊技盤本体６０の奥行き方向（厚さＴ（図７参照）の方向）の位置決めが行われ、位置決めがされた後にはそれ以上の奥行き方向の移動を規制する。
このため、一対の爪形状部７２，７３と切欠き部８２との間の係合がより強固になる。
【００７５】
〔第３の実施の形態〕
次に、第３の実施の形態に係る遊技盤１１０について図１３および図１４を用いて説明する。なお、第３の実施の形態は、第１および第２の実施の形態と共通する構成・機能を有することから、共通する構成には、同じ符号を用い、また、共通する構成・機能の説明および図示を省略することがある。第１の実施の形態について上述した各種の変形例を、第３の実施の形態に適用することが考えられる。
図１３は、第３の実施の形態に係る遊技盤１１０に取り付けられる証紙台板７０の外観を示す図であり、後面７０ｂ側から見た証紙台板７０の斜視図である。図１３は、第１の実施の形態での図９の（ｂ）に対応するものである。
図１３に示すように、第３の実施の形態で用いられる証紙台板７０は、爪形状部７１、一対の爪形状部７２，７３、ボス７４、取り付け穴７５および補強リブ７６を後面７０ｂに備えるほか、後面７０ｂで立設されたボス７７と、ボス７７に形成された取り付け穴７８と、を備える。取り付け穴７８は、ボス７７の端面からボス７７の長さ方向に延びるように形成されている。
なお、証紙台板７０の前面７０ａは、平たんである（図１４参照）。
【００７６】
図１４は、証紙台板７０の遊技盤本体６０への取り付けを説明する分解斜視図であり、第１の実施の形態での図１１に対応するものであり、第２の実施の形態での図１２に対応するものである。
図１４に示すように、遊技盤本体６０の取り付け部６４は、切欠き部８１および切欠き部８２を備えるほか、証紙台板７０の取り付け穴７８に対応する位置に形成される取り付け穴８５を備える。
証紙台板７０は、爪形状部７１を遊技盤本体６０の切欠き部８１に係合させると共に、一対の爪形状部７２，７３を遊技盤本体６０の切欠き部８２に係合させた後に、ねじ部材Ｓ２を取り付け穴７５に螺合させることで、遊技盤本体６０に固定される。すなわち、爪形状部７２，７３が係合状態を解除する方向にたわむように挙動しても証紙台板７０は、遊技盤本体６０から外れない。
本実施の形態では、さらに、遊技盤本体６０の後面６０ｂから挿入したねじ部材Ｓ３を証紙台板７０の取り付け穴７８と螺合させることで、証紙台板７０が遊技盤本体６０の取り付け部６４により一層強固に取り付けられる。なお、ねじ部材Ｓ３は、大入賞口ブラケット９０とは締結されない。
【００７７】
以上説明したように、第１の実施の形態、第２の実施の形態および第３の実施の形態では、証紙台板７０を遊技盤本体６０から取り外し困難な状態に取り付ける作業の容易化を図ることが可能になる。
【符号の説明】
【００７８】
６０…遊技盤本体、６４…取り付け部、７０…証紙台板、７２，７３…爪形状部、７４…ボス、７５，９３…取り付け穴、８２…切欠き部、８４…クボミ部、９０…大入賞口ブラケット、９４…突出片、１００…パチンコ遊技機、１１０…遊技盤
【図１】
2014000234.tif 000003
【図２】
2014000234.tif 000004
【図３】
2014000234.tif 000005
【図４】
2014000234.tif 000006
【図５】
2014000234.tif 000007
【図６】
2014000234.tif 000008
【図７】
2014000234.tif 000009
【図８】
2014000234.tif 000010
【図９】
2014000234.tif 000011
【図１０】
2014000234.tif 000012
【図１１】
2014000234.tif 000013
【図１２】
2014000234.tif 000014
【図１３】
2014000234.tif 000015
【図１４】
2014000234.tif 000016